(57)【要約】
【課題】　プレー中においても特定クラブの盗難を防止することができるカバーを提供すること。
【解決手段】　フードキャップを外して各ゴルフクラブを収容したクラブバッグ１において、特定のドライバー５、又は、特定ドライバー５と特定パター６、或は、特定パター６など特定クラブの頭部に略袋状をなすカバーGCを被せ、そのカバーGCとクラブバッグ１の開口部２の間を施錠部材10を介して離，接可能に連結したこと。
【選択図】図１
0003099797.tif 000002
【実用新案登録請求の範囲】
【請求項１】
　フードキャップを外して各ゴルフクラブを収容したクラブバッグにおいて、特定のドライバー、又は、特定ドライバーと特定パター、或は、特定パターなど特定クラブの頭部に略袋状をなすカバーを被せ、そのカバーとクラブバッグの開口部の間を施錠部材を介して離，接可能に連結したことを特徴とするゴルフクラブ盗難防止カバー。
【請求項２】
　カバーは、ファスナにより２つ割状態に開閉できる構造とし、前記ファスナーのスライダの取手の穴とクラブバッグ開口部のベルトエンドなどに取付けられた環状体とを、施錠部材によって離，接可能に連結した請求項１のゴルフクラブ盗難防止カバー。
【請求項３】
　上記カバーは、下端側に向けテーパ状に絞った形態に形成した請求項１又は２のゴルフクラブ盗難防止カバー。
【請求項４】
　上記カバーはファスナによって略１／２が開閉自在に形成された請求項１〜３のいずれかのゴルフクラブ盗難防止カバー。
【考案の詳細な説明】
【技術分野】
【０００１】
　本考案は、ゴルフ場などにおけるゴルフクラブの盗難事故を未然に防止するためのカバーに関する。
【背景技術】
【０００２】
　最近、ゴルフ場などにおいて、ゴルフプレー中のプレイヤーが携行しているクラブバッグから高価なドライバーやパターなど、高額なゴルフクラブのみが盗まれるという事故が頻発している。なお、高額なクラブは、１本で数万円〜10万円以上の市場価格である。
【０００３】
　クラブバックはゴルフ場に向う搬送中やプレーに入る前などには、クラブバッグの頭部全体を覆うフード状のキャップでガードされ、すべてのクラブがカバーされているため、その中から特定のクラブを抽出して盗み出すことはほぼ不可能である。
【０００４】
　しかし、プレーに入ると、前記フード状キャップを全開した状態、或は、取外した状態にし、いつでも所望のクラブを取出せるように各クラブのヘッド側がバッグから露出しているため、例えば、このバッグをカートに積んでプレーし乍らコース内を移動するとき、プレーの状況などによっては各プレーヤがゴルフバッグを積んだカートから離れてしまったり、クラブバッグから離れてしまうことがままあり、そのような隙に前述の高価ドライバーや高価パターが盗難に遭っているというのが実態である。
【考案の開示】
【考案が解決しようとする課題】
【０００５】
　そこで本考案ではプレー中においても特定クラブの盗難を防止することができるカバーを提供することを課題とするものである。
【課題を解決するための手段】
【０００６】
　上記課題を解決することを目的としてなされた本考案盗難防止カバーの構成は、フードキャップを外して各ゴルフクラブを収容したクラブバッグにおいて、特定のドライバー、又は、特定ドライバーと特定のパター、或は、特定パターなどの特定クラブの頭部に略袋状をなすカバーを被せ、そのカバーとクラブバッグの開口部の間を施錠部材を介して離，接可能に連結したことを特徴とするものである。
【０００７】
　上記の本考案カバーは、ファスナーにより少なくとも略１／２程度の範囲で２つ割状態に開閉できる構造とし、前記ファスナを閉じたときそのファスナのスライダの取手の穴とクラブバッグ開閉部のベルトエンドなどに取付けられた環状体とを、施錠部材によって離，接可能に連結するとよい。
【考案の効果】
【０００８】
　本考案カバーは、盗難のおそれがある特定クラブにのみに、クラブバッグ本体と施錠手段を介して連結される開閉自在のカバーを被せるようにしたので、高価な特定クラブがプレー中に盗難に遭うことを未然に防止できる。
【考案を実施するための最良の形態】
【０００９】
　次に本考案クラブカバーの実施の形態例について図を参照して説明する。図１は本考案カバーを、盗難の多いドライバーとパターに被せ、このカバーをクラブバッグに連結した状態の要部の斜視図、図２は図１のカバーを開いた状態の斜視図、図３はクラブバッグの開口部全体にカバーを取付けて施錠した状態の要部の斜視図である。
【００１０】
　図１，図２において、１はクラブバッグ本体で、その上部が円形の開口部２に形成され、各クラブはこの開口部２からクラブバッグに投入され、またはこのバッグから抜き出される。３は前記バッグ本体１の上端に上部エンドが連結されたクラブバッグ用のベルトで、このベルト３の上部エンドには、金属材などによるリング体４が結合されている。リング体４はベルト３のエンドのほか前記開口部２の周囲にも設けられているものがあり、本考案はそのリング体４も連結対象にできる。
【００１１】
　本考案カバーGCは、上記のバッグ本体１に収容された、一例としてドライバー５とパター６とを一緒にカバーできる下部を絞った形態の、即ち下方に向ってテーパ状をなす袋体７により形成されている。
【００１２】
　前記袋体７は、ドライバー５に被せた状態でその下端部7aがバッグ本体１の開口部２に達する高さ（長さ）を有し、その下部7aが上方からテーパ状に絞られた形態に形成されている。そして、この袋体７は、ファスナ８により、図の手前側が左右２つに分かれるように開放される形態に形成されている（図２参照）。なお、９は前記ファスナ８のスライダ8aに付けられた開閉操作用の金具である。
【００１３】
　本考案カバーGCのファスナ８による分割形態は、上記図２に示すほぼハーフ状の分割開放形態から全部の分割開放形態までの間で、任意の開放形態となるように選択することが出来る。
【００１４】
　上記のように構成される本考案カバーGCは、ファスナ８を開けてクラブバッグ１の中から所要ドライバ５又はパター６を取出したり、入れたりするときに使用し、不使用時にはファスナ８のスライダ8aを金具９を掴んで下ろしこのカバーGCを全閉し、この状態で金具９の穴9aとリング体４を、一例として南京錠のような結合金具10aを有する錠10によって連結鎖錠する。
【００１５】
　上記のように本考案カバーGCを閉じてファスナ８の金具９を錠10によってバッグ本体１側のリング体４に結合することにより、このカバーGCを勝手に開けることはできないので、中のドライバー５，パター６が心ない者に盗まれるといった事態を防止できる。
【００１６】
　本考案においては、カバーGCの下部を絞った形態にしているので、このカバーGCを下端部7aの側からたくし上げようとしてもできず、盗難防止効果を助長する。
【００１７】
　図３は、上記カバーGCを、クラブバッグにおける開口部２にあるすべてのクラブに被せられる大きさに形成した例で、このカバーGCのファスナ８の金具９とバッグ側のリング体４とを錠10で結合すれば、先に述べたカバーGCと同様の効果が得られる。図３ではカバーGCの奥側をバッグ開口部２と連結部材11で結合しているが、この部を錠10を用いて離接可能に連結してもよい。図３において図１，図２と同一符号は同一部材，同一部位を示すものとする。
【００１８】
　本考案においては、カバーGCをクラブバッグ本体１に、予め逢着や連結金具などで結合しておくこともあるが、予め結合するか否かは、任意である。この意味で、先の実施例における図１，図２のカバーGCをクラブバッグの開口部２と連結部材11のような連結部材で連結しておくこともある。また、本考案カバーGCは、高価ドライバーや高価パターのみならず、本人が盗まれたくないと考える他の種類のクラブに適用できることは、勿論である。
【産業上の利用可能性】
【００１９】
　本考案クラブカバーは上述の通りであって、プレー中に盗まれることが多かった高価ドライバーや高価パターなどの特定クラブのみに開閉自在のカバーを被せ、カバーを閉じたファスナのスライダをバッグ本体に結合してファスナを開けることができないようにしたので、高い盗難防止効果が得られる。
【図面の簡単な説明】
【００２０】
【図１】本考案カバーを、盗難の多いドライバーとパターに被せ、このカバーをクラブバッグに連結した状態の要部の斜視図。
【図２】図１のカバーを開いた状態の斜視図。
【図３】クラブバッグの開口部全体にカバーを取付けて施錠した状態の要部の斜視図。
【符号の説明】
【００２１】
　１　　クラブバッグ本体
　２　　開口部
　３　　クラブバッグ用のベルト
　４　　リング体
　５　　ドライバー
　６　　パター
　７　　テーバ状の袋体
　８　　ファスナ
　９　　開閉操作用金具
　10　　錠
【図１】
0003099797.tif 000003
【図２】
0003099797.tif 000004
【図３】
0003099797.tif 000005